(57)【要約】  表示パネルおよびその製造方法、表示システムを提供する。該表示パネルは、対向して設置される対向基板（１００）およびアレイ基板（２００）と、対向基板（１００）とアレイ基板（２００）との間に位置する液晶層（３００）と、対向基板（１００）上に位置する反射偏光板（４００）と、を備え、反射偏光板（４００）は、液晶層（３００）のアレイ基板（２００）から遠い側に位置する。反射偏光板（４００）により、表示パネルにミラー効果を付与し、表示パネルの美観と覗き込み防止性能を向上させることができる。
2020525806.tif 000002
【特許請求の範囲】
【請求項１】
対向して設置される対向基板およびアレイ基板と、
前記対向基板と前記アレイ基板との間に位置する液晶層と、
前記対向基板上に位置する反射偏光板と、を備え、
前記反射偏光板は、前記液晶層の前記アレイ基板から遠い側に位置する
表示パネル。
【請求項２】
前記反射偏光板は、透過した光が第１偏光方向を有し且つ反射した光が第２偏光方向を有するように配置され、前記第１偏光方向が前記第２偏光方向に垂直である
請求項１に記載の表示パネル。
【請求項３】
前記アレイ基板上に位置する第１偏光層をさらに備え、
前記第１偏光層は、透過した光が第３偏光方向を有するように配置される
請求項２に記載の表示パネル。
【請求項４】
前記表示パネルは、透過型表示パネル、反射型表示パネルおよび半透過型表示パネルのうちの少なくとも１種である
請求項３に記載の表示パネル。
【請求項５】
前記表示パネルは透過型表示パネルであり、前記アレイ基板は透過型アレイ基板である
請求項４に記載の表示パネル。
【請求項６】
前記第１偏光層は、前記アレイ基板の前記液晶層から遠い側に位置し、あるいは
前記第１偏光層は、前記アレイ基板と前記液晶層との間に位置する
請求項５に記載の表示パネル。
【請求項７】
前記液晶層の初期ツイスト角は０度とされ、前記第３偏光方向は前記第１偏光方向に垂直であり、あるいは
前記液晶層の初期ツイスト角は９０度とされ、前記第３偏光方向が前記第１偏光方向に平行である
請求項５または６に記載の表示パネル。
【請求項８】
前記表示パネルは反射型表示パネルであり、前記アレイ基板は反射型アレイ基板である
請求項４に記載の表示パネル。
【請求項９】
前記アレイ基板は、反射層を含み、
前記第１偏光層は、前記液晶層と前記反射層との間に位置する
請求項８に記載の表示パネル。
【請求項１０】
前記液晶層の初期ツイスト角は０度とされ、前記第３偏光方向は前記第１偏光方向に垂直であり、あるいは
前記液晶層の初期ツイスト角は９０度とされ、前記第３偏光方向は前記第１偏光方向に平行である
請求項８または９に記載の表示パネル。
【請求項１１】
前記第１偏光層は、ナノグレーティングに配置される
請求項３〜１０のいずれか一項に記載の表示パネル。
【請求項１２】
前記反射偏光板は、前記対向基板の前記液晶層から遠い側に位置し、あるいは
前記反射偏光板は、前記対向基板と前記液晶層との間に位置する
請求項１〜１１のいずれか一項に記載の表示パネル。
【請求項１３】
請求項１〜１２のいずれか一項に記載の表示パネルを備える表示システム。
【請求項１４】
眼鏡をさらに備え、
前記眼鏡は、前記表示パネルによる表示画像における前記第１偏光方向を有する光を透過させ、且つ前記表示パネルによる表示画像における前記第２偏光方向を有する光を遮断する
請求項１３に記載の表示システム。
【請求項１５】
前記眼鏡は、少なくとも１つのレンズを含み、
前記レンズの各々は、透過した光が前記第１偏光方向を有するように配置される第２偏光層を含む
請求項１４に記載の表示システム。
【請求項１６】
対向基板を提供するとともに、前記対向基板上に反射偏光板を形成するステップと、
アレイ基板を提供するステップと、
前記対向基板と前記アレイ基板を対向して設置し、且つ前記アレイ基板と前記対向基板との間に液晶層を形成するステップと、を備え、
前記反射偏光板は、前記液晶層の前記アレイ基板から遠い側に位置する
表示パネルの製造方法。
【発明の詳細な説明】
【技術分野】
【０００１】
関連出願の相互参照
本願は、２０１７年７月４日に出願された中国特許出願第２０１７１０５３７６４０．Ｘ号の優先権を主張し、ここで上記中国特許出願の開示全体が本願の一部として援用される。
【０００２】
本開示の少なくとも一実施例は、表示パネルおよびその製造方法、表示システムに関する。
【背景技術】
【０００３】
電子表示製品の普及に伴って、電子表示製品によるユーザー情報への覗き込みを如何に防止するかは消費者に注目されている。現在の液晶表示製品を例とすれば、液晶表示パネルは専用眼鏡を組み合わせることで覗き込み防止目的を実現するが、広い視野角の場合、表示画像をかすかに見えるため、覗き込み防止性能が限られ、消費者の要求を満たすことができない。
【発明の概要】
【０００４】
本開示の少なくとも一実施例は、対向して設置される対向基板およびアレイ基板と、前記対向基板と前記アレイ基板との間に位置する液晶層と、前記対向基板上に位置する反射偏光板と、を備え、前記反射偏光板は、前記液晶層の前記アレイ基板から遠い側に位置する表示パネルを提供する。
【０００５】
たとえば、本開示の少なくとも一実施例に係る表示パネルにおいて、前記反射偏光板は、透過した光が第１偏光方向を有し且つ反射した光が第２偏光方向を有するように配置され、前記第１偏光方向が前記第２偏光方向に垂直である。
【０００６】
たとえば、本開示の少なくとも一実施例に係る表示パネルは、前記アレイ基板上に位置する第１偏光層をさらに備え、前記第１偏光層は、透過した光が第３偏光方向を有するように配置される。
【０００７】
たとえば、本開示の少なくとも一実施例に係る表示パネルにおいて、前記表示パネルは、透過型表示パネル、反射型表示パネルおよび半透過型表示パネルのうちの少なくとも１種である。
【０００８】
たとえば、本開示の少なくとも一実施例に係る表示パネルにおいて、前記表示パネルは透過型表示パネルであり、前記アレイ基板は透過型アレイ基板である。
【０００９】
たとえば、本開示の少なくとも一実施例に係る表示パネルにおいて、前記第１偏光層は、前記アレイ基板の前記液晶層から遠い側に位置し、あるいは前記第１偏光層は、前記アレイ基板と前記液晶層との間に位置する。
【００１０】
たとえば、本開示の少なくとも一実施例に係る表示パネルにおいて、前記液晶層の初期ツイスト角は０度とされ、前記第３偏光方向は前記第１偏光方向に垂直であり、あるいは前記液晶層の初期ツイスト角は９０度とされ、前記第３偏光方向が前記第１偏光方向に平行である。
【００１１】
たとえば、本開示の少なくとも一実施例に係る表示パネルにおいて、前記表示パネルは反射型表示パネルであり、前記アレイ基板は反射型アレイ基板である。
【００１２】
たとえば、本開示の少なくとも一実施例に係る表示パネルにおいて、前記アレイ基板は、反射層を含み、前記第１偏光層は、前記液晶層と前記反射層との間に位置する。
【００１３】
たとえば、本開示の少なくとも一実施例に係る表示パネルにおいて、前記液晶層の初期ツイスト角は０度とされ、前記第３偏光方向は前記第１偏光方向に垂直であり、あるいは前記液晶層の初期ツイスト角は９０度とされ、前記第３偏光方向は前記第１偏光方向に平行である。
【００１４】
たとえば、本開示の少なくとも一実施例に係る表示パネルにおいて、前記第１偏光層は、ナノグレーティングに配置される。
【００１５】
たとえば、本開示の少なくとも一実施例に係る表示パネルにおいて、前記反射偏光板は、前記対向基板の前記液晶層から遠い側に位置し、あるいは前記反射偏光板は、前記対向基板と前記液晶層との間に位置する。
【００１６】
本開示の少なくとも一実施例は、上記実施例のいずれかに記載の表示パネルを備える表示システムを提供する。
【００１７】
たとえば、本開示の少なくとも一実施例に係る表示システムは、眼鏡をさらに備え、前記眼鏡は、前記表示パネルによる表示画像における前記第１偏光方向を有する光を透過させ、且つ前記表示パネルによる表示画像における前記第２偏光方向を有する光を遮断する。
【００１８】
たとえば、本開示の少なくとも一実施例に係る表示システムにおいて、前記眼鏡は、少なくとも１つのレンズを含み、前記レンズの各々は、透過した光が前記第１偏光方向を有するように配置される第２偏光層を含む。
【００１９】
本開示の少なくとも一実施例は、対向基板を提供するとともに、前記対向基板上に反射偏光板を形成するステップと、アレイ基板を提供するステップと、前記対向基板と前記アレイ基板を対向して設置し、且つ前記アレイ基板と前記対向基板との間に液晶層を形成するステップと、を備え、前記反射偏光板は、前記液晶層の前記アレイ基板から遠い側に位置する表示パネルの製造方法を提供する。
【図面の簡単な説明】
【００２０】
以下、本発明の実施例に係る技術手段をより明確に説明するために、実施例の図面について簡単に説明する。以下に説明する図面は、本発明のいくつかの実施例のみに関し、本発明を限定するものではないことが明白であろう。
【図１】本開示の一実施例に係る表示パネルの断面図である。
【図２】本開示の一実施例に係る表示パネルの非表示状態での部分領域の断面図である。
【図３】本開示の一実施例に係る別の表示パネルの非表示状態での部分領域の断面図である。
【図４】本開示の一実施例に係る表示パネルの表示状態での部分領域の断面図である。
【図５】本開示の一実施例に係る表示システムの構造模式図である。
【図６Ａ】本開示の一実施例に係る表示パネルの製造方法のフローチャートである。
【図６Ｂ】本開示の一実施例に係る表示パネルの製造方法のフローチャートである。
【図６Ｃ】本開示の一実施例に係る表示パネルの製造方法のフローチャートである。
【００２１】
符号の説明
１００−対向基板；２００−アレイ基板；２１０−反射層；３００−液晶層；４００−反射偏光板；５００−第１偏光層；６００−配向層；６１０−第１配向層；６２０−第２配向層；７００−眼鏡；７１０−第２偏光層。
【発明を実施するための形態】
【００２２】
本発明の実施例の目的、技術手段および利点をより明確にするために、以下、本発明の実施例の技術手段について、本発明の実施例の図面を参照しながら明確で完全に説明する。説明された実施例が本発明の一部の実施例のみであり、本発明の全ての実施例ではないことは明白であろう。当業者には、開示された本発明の実施例に基づき、容易に成し遂げることができた他の実施例の全ては本発明の精神から逸脱しない。
【００２３】
特に定義しない限り、本開示に使用された技術用語または科学用語は、当業者に理解される一般的な意味である。本発明に係る特許出願の明細書及び特許請求の範囲に使用される「第１」、「第２」のような用語は順序、数量または重要性を示すものではなく、異なる構成要素を区別するものにすぎない。「備える」、「含む」および類似する用語は、挙げられた要素に加えて、他の要素が共存してもよいことを意味する。「接続」や「連結」などのような用語は物理的または機械的接続に限定されなく、直接的や間接的にかかわらず電気的接続を含む。「上」、「下」、「左」、「右」などは相対的位置関係のみを示し、説明対象の絶対的位置が変わると、該相対位置関係もその分変わる。
【００２４】
液晶分子は光学異方性との特徴を有し、液晶電子製品の実際の作動状態では、液晶分子の配列状態が変化して液晶分子の配列状態に異なる程度の差異を発生させ、それによって液晶分子を透過した光は異なる光学効果を有する。広い視野角の場合、表示パネルの出射光の輝度差が著しく、表示パネルの表示画像がかすかに視認できるようになり、そのため、ユーザー情報の漏洩リスクがある。
【００２５】
上記技術的問題を解決するために、本開示の少なくとも一実施例は表示パネルおよびその製造方法、表示システムを提供する。該表示パネルは、対向して設置される対向基板およびアレイ基板と、対向基板とアレイ基板との間に位置する液晶層と、対向基板上に位置する反射偏光板と、を備え、反射偏光板が液晶層のアレイ基板から遠い側に位置する。たとえば、本開示の少なくとも一実施例では、反射偏光板は、透過した光が第１偏光方向を有し、且つ反射した光が第２偏光方向を有するように配置されており、第１偏光方向は第２偏光方向にほぼ垂直である。
【００２６】
環境における光は反射偏光板に入射すると、それぞれ第１偏光方向と第２偏光方向を有する光に分解されるとともに、第２偏光方向を有する光が反射偏光板により反射されるので、第２偏光方向を有する光は環境画像を表示して表示パネルにミラー効果を付与し、表示パネルの美観を向上させる。そして、該環境画像が表示パネルの表示画像をカバーでき、広い視野角の場合でも表示パネルの表示画像を裸眼で視認できず、表示パネルの覗き込み防止性能を向上させる。
【００２７】
以下、本開示の少なくとも一実施例に係る表示パネルおよびその製造方法、表示システムについて、図面を参照しながら詳細に説明する。
【００２８】
本開示の少なくとも一実施例は、表示パネルを提供しており、図１は、本開示の一実施例に係る表示パネルの断面図である。たとえば、該表示パネルは、図１に示すように、対向して設置される対向基板１００およびアレイ基板２００と、対向基板１００とアレイ基板２００との間に位置する液晶層３００と、対向基板１００上に位置する反射偏光板４００とを備える。反射偏光板４００は、液晶層３００のアレイ基板２００から遠い側に位置する。また、反射偏光板４００は、透過した光が第１偏光方向を有し且つ反射光が第２偏光方向を有するように配置され、第１偏光方向が第２偏光方向にほぼ垂直である（垂直の場合を含む）。
【００２９】
たとえば、本開示の少なくとも一実施例では、図１に示すように、対向基板１００はカラーフィルム基板となり得る。たとえば、カラーフィルム基板１００は、複数のカラーフィルムユニットを含めており、これらのカラーフィルムユニットは、たとえば赤色カラーフィルムユニット、緑色カラーフィルムユニットおよび青色カラーフィルムユニットを含み、カラーフィルムユニットごとに表示パネルのサブ画素（下記実施例におけるサブ画素ユニット領域Ａ２参照）に対応付けられる。該対向基板上には、ブラックマトリックスがさらに形成されてもよく、または、表示操作用の共通電極や、タッチ操作用のタッチ電極などがさらに形成されてもよい。
【００３０】
たとえば、本開示の少なくとも一実施例では、図１に示すように、反射偏光板４００の具体的な設置位置を制限せず、反射偏光板４００が液晶層３００のアレイ基板２００から遠い側に位置すればよい。たとえば、反射偏光板４００は対向基板１００の液晶層３００から遠い側（図中の外側）に設置されてもよく、対向基板１００と液晶層３００との間（図中の内側）に設置されてもよい。
【００３１】
なお、本開示の実施例では、反射偏光板４００により、環境からの入射光が第１偏光方向と第２偏光方向を有する光に分解されると、第１偏光方向と第２偏光方向は厳密に垂直であるとは限らず、第１偏光方向と第２偏光方向は、互いに垂直であるのを基準として所定の角度範囲内に可変であり、両方の間の角度変化範囲が表示パネルの実際の表示効果を影響しなければよい。たとえば、第１偏光方向と第２偏光方向とのなす角は、８０度〜１００度、さらにたとえば８５〜９５度であり、たとえば、互いに垂直で９０度になる。該反射偏光板４００はたとえば反射型偏光増光膜（ＤＢＥＦ）であり、たとえば、米国３Ｍ社製のＤＢＥＦ製品が使用可能であり、たとえば多層膜技術により製造できる。ＤＢＥＦの両側には、拡散層または拡散板などがさらに設置されてもよい。該反射偏光板はたとえば光学透明接着剤によって対向基板１００に貼り付けられる。
【００３２】
以下、本開示の下記の少なくとも一実施例の技術手段について、第１偏光方向が第２偏光方向に垂直であるものを例として説明する。図１に示すように、符号
【数１】
2020525806.tif 000003
は第１偏光方向、符号
【数２】
2020525806.tif 000004
は第２偏光方向を示す。
【００３３】
たとえば、本開示の少なくとも一実施例では、表示パネルは、図１に示すように、アレイ基板２００上に位置し、透過した光が第３偏光方向を有するように配置される第１偏光層５００をさらに備えてもよい。第１偏光層５００により、表示パネルの出射光が偏光光になり、第１偏光層５００と反射偏光板４００、専用眼鏡（下記表示システムの実施例の眼鏡７００参照）との組合せによって、ユーザーは表示パネルの表示画像が見える。
【００３４】
たとえば、本開示の少なくとも一実施例では、表示パネルの画像表示を実現するために、液晶層３００を仮配向して透過液晶層３００の光に特定の偏光方向を有させてもよい。図１に示すように、表示パネルにおける対向基板１００およびアレイ基板２００のうちの少なくとも一方に配向層６００が設置されており、配向層６００により、電圧が印加されない（たとえば、表示パネルの非動作状態にある）場合に液晶層３００が同じ初期ツイスト角を有する。たとえば、配向層６００は、ポリイミド（ＰＩ）を塗布して摩擦を行われることで製造される。
【００３５】
たとえば、本開示の少なくとも一実施例では、表示パネルの種類を制限しない。たとえば、本開示の少なくとも一実施例では、表示パネルは透過型表示パネル、反射型表示パネルおよび半透過型表示パネルなどのうちの少なくとも１種である。たとえば、本開示の少なくとも一実施例では、図１に示すように、表示パネルは透過型表示パネルであり、それに応じて、表示パネルのアレイ基板２００は透過型アレイ基板である。表示パネルに画像表示用の光を提供するように、アレイ基板２００の対向基板１００から遠い側に光源（たとえば、光源を含むバックライトモジュール）を設置してもよい。
【００３６】
たとえば、本開示の少なくとも一実施例では、図１に示すように、表示パネルが透過型表示パネルとなると、第１偏光層５００はアレイ基板２００の液晶層３００から遠い側に位置してもよく、アレイ基板２００と液晶層３００との間に位置してもよい。第１偏光層５００は、液晶層３００の対向基板１００から遠い側に位置すればよい。本開示の実施例では第１偏光層５００の具体的な設置位置を制限しない。
【００３７】
たとえば、本開示の少なくとも一実施例では、表示パネルが透過型表示パネルである場合、表示パネルにおける液晶層３００の初期ツイスト角について、具体的な数値に限定せず、実際に応じて設定できる。たとえば、本開示の少なくとも一実施例では、表示パネルの液晶層３００の初期ツイスト角が０度とされ、第３偏光方向（第１偏光層５００を透過した光の偏光方向）と第１偏光方向（反射偏光板４００を透過した光の偏光方向）が互いに垂直であるようになってもよく、あるいは、表示パネルの液晶層３００の初期ツイスト角が９０度とされ、第３偏光方向と第１偏光方向が互いに平行であるようになってもよい。このように、表示パネルのノーマリブラックを実現でき、表示パネルの表示画像のコントラストを向上させる。
【００３８】
たとえば、本開示の少なくとも一実施例では、表示パネルは反射型表示パネルであり、それに応じて、表示パネルのアレイ基板２００は反射型アレイ基板である。
【００３９】
たとえば、本開示の少なくとも一実施例では、図２は、本開示の一実施例に係る表示パネルの非表示状態での部分領域の断面図である。たとえば、図２に示すように、表示パネルは、反射層２１０をさらに備えてもよい。そして、第１偏光層５００は、反射層２１０と液晶層３００との間に位置する。反射層２１０は、環境からの入射光を反射することで、表示パネルにて画像を表示することができる。
【００４０】
反射型表示パネルの作動状態では、画像を表示するための光が特定の偏光方向を有しており、該偏光方向は、液晶層３００、第１偏光層５００および反射偏光板４００の共同作用によるものであり、それらの具体的な構造関係は液晶層３００の初期ツイスト角に応じて設定できる。以下、液晶層３００の初期ツイスト角の異なる設置形態に応じて、反射型表示パネルの具体的な構造を説明する。
【００４１】
本開示の少なくとも一実施例に係る表示パネルでは、図２は、本開示の一実施例に係る表示パネルの非表示状態での部分領域の断面図である。たとえば、図２に示すように、表示パネルの液晶層３００の初期ツイスト角は、０度とされており、反射偏光板４００と第１偏光層５００は、透過した光の偏光方向が互いに垂直であり、すなわち第３偏光方向と第１偏光方向が垂直であるように配置される。外部環境光が表示パネルに入射すると、液晶層３００により反射偏光板４００を透過した光が偏向されないため、光が反射偏光板４００および液晶層３００を透過してから、第１偏光方向を有する偏光となり、このように、光が第１偏光層５００を透過できず、表示パネルのノーマリブラックを実現でき、さらに表示画像のコントラストを向上させる。
【００４２】
本開示の少なくとも一実施例に係る表示パネルでは、図３は、本開示の一実施例に係る別の表示パネルの非表示状態での部分領域の断面図である。たとえば、図３に示すように、表示パネルにおける液晶層３００の初期ツイスト角は、９０度とされており、反射偏光板４００と第１偏光層５００は、透過した光の偏光方向が互いに平行であり、すなわち第３偏光方向が第１偏光方向に平行であるように配置される。外部環境光が表示パネルに入射すると、液晶層３００により反射偏光板４００を透過した光の偏光方向が９０度偏向されるため、光が反射偏光板４００および液晶層３００を透過してから、第１偏光方向に垂直な偏光となり、このように光が第１偏光層５００を透過できず、表示パネルのノーマリブラックを実現でき、さらに表示画像のコントラストを向上させる。
【００４３】
たとえば、本開示の少なくとも一実施例では、図３に示すように、液晶層３００の両側に配向層６００を設置することで、液晶層３００の初期ツイスト角は９０度とされる。たとえば、アレイ基板２００の液晶層３００と対向側に第１配向層６１０が設置され、対向基板１００の液晶層３００と対向側に第２配向層６２０が設置されるとともに、第１配向層６１０と第２配向層３２０の摩擦方向が垂直であり、それによって液晶層３００の初期ツイスト角は９０度とされる。
【００４４】
なお、本開示の少なくとも一実施例では、反射偏光板４００と第１偏光層５００の具体的な設置関係（第１偏光方向と第３偏光方向の関係）は液晶層３００の初期ツイスト角に応じて決められる。そして、液晶層３００の初期ツイスト角は実際に応じて決められる。本開示の実施例では、液晶層３００の初期ツイスト角を制限しないため、第３偏光方向と第１偏光方向は上記平行または垂直的関係に限定されない。たとえば、液晶層３００の初期ツイスト角が３０度とされてもよく、この場合、第３偏光方向と第１偏光方向とのなす角は１２０度または６０度とされるので、表示パネルのノーマリブラックも実現できる。
【００４５】
以下、本開示の少なくとも一実施例に係る反射型表示パネルの作動原理について、図３に示される液晶層３００の初期ツイスト角が９０度とされ、且つ第３偏光方向と第１偏光方向が平行であるものを例として説明する。
【００４６】
図４は、本開示の一実施例に係る表示パネルの表示状態での部分領域の断面図であり、該表示パネルにおける液晶層３００の初期ツイスト角は９０度である。表示パネルは、複数の画素ユニットを含めており、画素ユニットごとには少なくとも１つのサブ画素ユニット領域Ａ２および隣接するサブ画素ユニット領域Ａ２との間に位置する間隔領域Ａ１が含まれる。表示パネルにおいて、画素電極と共通電極が設置されてもよい。画素電極と共通電極は、液晶層３００に電圧を印加してサブ画素ユニット領域Ａ２の液晶層３００のツイスト状態を制御する。画素電極と共通電極は、液晶層３００の同一側に位置し、たとえば、両方とも対向基板１００またはアレイ基板２００に設置されてもよく、あるいは、液晶層３００の異なる側に位置し、たとえばそれぞれ対向基板１００とアレイ基板２００に位置されてもよい。
【００４７】
図４に示すように、間隔領域Ａ１における液晶層３００は電圧を印加されていないので、初期ツイスト角９０度を有する。このように、間隔領域Ａ１において、環境からの入射光は反射偏光板４００と液晶層３００を透過してから、偏光方向が第１偏光方向に垂直である偏光となり、且つ第１偏光方向が第３偏光方向に平行である。従って、入射光が第１偏光層５００を透過せず且つ反射層２１０により反射されないため、表示パネルの間隔領域Ａ１はブラックで表示するようになる。サブ画素ユニット領域Ａ２における液晶層３００は電圧を印加されると、そのツイスト角度がたとえば０度になり、このように、サブ画素ユニット領域Ａ２において、環境から入射した光は反射偏光板４００と液晶層３００を透過してから、偏光方向が第１偏光方向に平行である偏光となり、且つ第１偏光方向が第３偏光方向に平行である。従って、入射光が第１偏光層５００を透過し且つ反射層２１０により反射され、反射された光が第１偏光層５００と液晶層３００を透過してからも偏光方向が第１偏光方向に平行である偏光である。このように、表示パネルのサブ画素ユニット領域Ａ２は、画像を表示できる。そうすると、表示パネルの間隔領域Ａ１がノーマリブラックを維持でき、間隔領域Ａ１にブラックマトリックスを設置する必要がなく、表示パネルの構造を簡略化させ、コストを低減させる。
【００４８】
たとえば、本開示の少なくとも一実施例では、液晶層３００に印加される電圧値を制御することで、サブ画素ユニット領域Ａ２における液晶層３００のツイスト程度を制御し、ひいては表示パネルの表示画像のグレースケールを制御することができる。
【００４９】
本開示の実施例では、反射層２１０の具体的な構造について限定せず、実際に応じて設計できる。たとえば、本開示の少なくとも一実施例では、図４に示すように、表示パネルにおける画素電極は反射層２１０に配置されてもよい。たとえば、画素電極２１０は、アルミニウム、銅およびその合金などの金属導電材料を含める。
【００５０】
本開示の少なくとも一実施例では、第１偏光層５００の具体的な構造について限定せず、透過した光が特定の偏光方向を有するようにすればよい。
【００５１】
たとえば、本開示の少なくとも一実施例では、図２、図３および図４に示すように、第１偏光層５００はナノグレーティングなどの構造に配置される。本開示の実施例では、該ナノグレーティング５００の具体的な構造に関わるパラメータについて制限せず、透過した光が特定の偏光方向（たとえば、第３偏光方向）を有するようにすればよい。たとえば、ナノグレーティング５００は、並設された複数の格子バーを含めており、格子バーごとの幅は約５０〜８０ナノメートル、たとえば６０ナノメートル、６５ナノメートル、７０ナノメートルなどであり、格子バーの幅と隣接する格子バー間の間隔距離との比は約２／３〜１であり、ナノグレーティング５００のある面に垂直な方向において、格子バーの厚さは約１５０〜２５０ナノメートル、たとえば１６０ナノメートル、１８０ナノメートル、２００ナノメートル、２２０ナノメートル、２４０ナノメートルなどである。ナノグレーティング５００は、金属材料または重合体（たとえばポリジメチルシロキサン）などの材料から構成されてもよいが、本開示の実施例では、それらに限定されない。たとえば、ナノグレーティング５００はたとえばナノインプリントなどによってアレイ基板２００に製造される。
【００５２】
本開示の少なくとも一実施例は、上記実施例のいずれかに記載の表示パネルを備える表示システムを提供する。たとえば、表示パネルが透過型表示パネルである場合、表示システムには、表示パネルのアレイ基板２００側に設置されるバックライトモジュールなどの構造がさらに備えられてもよい。たとえば、表示システムは、表示パネルにタッチ機能を付与するように、タッチパネルなどの構造をさらに備えてもよい。たとえば、表示パネルが反射型表示パネルである場合、表示システムには、表示パネルの対向基板１００側に設置されるフロント光源などの構造が備えられてもよい。フロント光源は、表示用の光を提供することで、反射型表示パネルが光不足の暗環境でも正常に表示することが図られる。
【００５３】
図５は、本開示の一実施例に係る表示システムの構造模式図である。たとえば、本開示の少なくとも一実施例では、図５に示すように、表示システムは、眼鏡７００をさらに備えており、眼鏡７００は、表示パネルによる表示画像における第１偏光方向
【数３】
2020525806.tif 000005
を有する光を透過させ、且つ表示パネルによる表示画像における第２偏光方向
【数４】
2020525806.tif 000006
を有する光を遮断する。このように、眼鏡７００をかけるユーザは、環境画像および表示パネルから出射する干渉画像（たとえば、第２偏光方向を有する光からなる画像）の影響を受けず、表示パネルの表示画像（ユーザーが所望した画像）のみを受ける一方、裸眼となるユーザは環境画像および干渉画像の影響を受けて、広い視野角でも表示画像を見えないことになる。
【００５４】
たとえば、本開示の少なくとも一実施例では、図５に示すように、表示システムの眼鏡７００は、少なくとも１つのレンズを含めており、レンズには、透過した光が第１偏光方向
【数５】
2020525806.tif 000007
を有するように配置される第２偏光層７１０が設置されてもよい。なお、本開示の少なくとも一実施例では、第２偏光層７１０は、透過した光が第１偏光方向を有するように配置されるのは相対的であり、透過した光の偏光方向が第１偏光方向に近いように配置されればよい。
【００５５】
たとえば、本開示の少なくとも一実施例に係る表示システムは、携帯電話、タブレットＰＣ、テレビ、ディスプレイ、ノートパソコン、ナビゲータなどの表示機能を有する任意の液晶表示製品または部材に適用される。
【００５６】
本開示の少なくとも一実施例は、対向基板を提供するとともに、対向基板上に反射偏光板を形成するステップと、アレイ基板を提供するステップと、対向基板とアレイ基板を対向して設置し、且つアレイ基板と対向基板との間に液晶層を形成するステップと、を備え、反射偏光板が、液晶層のアレイ基板から遠い側に位置する表示パネルの製造方法を提供する。たとえば、本開示の少なくとも一実施例では、反射偏光板は、透過した光が第１偏光方向を有し且つ反射した光が第２偏光方向を有するように配置されており、第１偏光方向は第２偏光方向に垂直である。環境における光が反射偏光板へ入射すると、異なる偏光方向の光に分解され、そのうちの１種の偏光方向を有する光が反射偏光板により反射されることで、表示パネルにミラー効果を付与し、それによって表示パネルの美観と覗き込み防止性能を向上させる。
【００５７】
たとえば、本開示の少なくとも一実施例に係る表示パネルの製造方法は、アレイ基板上に、透過した光が第３偏光方向を有するようにする第１偏光層を形成するステップをさらに備えてもよい。
【００５８】
なお、本開示の少なくとも一実施例に係る表示パネルの製造方法では、表示パネルの具体的な構造は上記実施例（本開示に係る表示パネルの実施例）の関連説明を参照すればよく、本開示ではここで詳細な説明を省略する。
【００５９】
以下、本開示の実施例の一例では、表示パネルの製造方法について、図３に示される表示パネル構造を例として説明する。図６Ａ〜図６Ｃは、本開示の一実施例に係る表示パネルの製造方法のフローチャートであり、たとえば、図６Ａ〜図６Ｃに示すように、本開示の実施例の一例に係る表示パネルの製造方法のプロセスは、以下のステップを含む。
【００６０】
図６Ａに示すように、対向基板１００を提供するとともに、対向基板１００上に反射偏光板４００を形成する。
【００６１】
たとえば、本開示の少なくとも一実施例では、図６Ａに示すように、対向基板１００上に第２配向層６２０を形成してもよい。なお、反射偏光板４００は、対向基板１００の第２配向層６２０から遠い側に形成されてもよく、対向基板１００と第２配向層６２０との間に形成されてもよい。反射偏光板４００と第２配向層６２０の具体的な設置形態は上記実施例（表示パネルに関わる実施例）の関連内容を参照すればよく、本開示ではここで詳細な説明を省略する。
【００６２】
図６Ｂに示すように、アレイ基板２００を提供する。アレイ基板２００の製造プロセス（たとえば、薄膜トランジスタおよび画素電極などの製造プロセスなど）の具体的な過程は従来の製造プロセスを参照すればよく、本開示ではここで詳細な説明を省略する。なお、反射型表示パネルの場合、アレイ基板２００上に反射層２１０を単独に設置してもよく、アレイ基板２００を製造する過程において反射層２１０を同時に製造してもよい（たとえば、画素電極を反射層２１０とされる場合）。本開示の実施例では、反射層２１０の具体的な形成方式を制限しないため、反射層２１０の形成に関連するステップは図６Ａ〜図６Ｃに示されていない。
【００６３】
たとえば、本開示の少なくとも一実施例では、図６Ｂに示すように、アレイ基板２００上に、透過した光が第３偏光方向を有するようにする第１偏光層５００を形成する。たとえば、第１偏光層５００は、ナノグレーティングであり、たとえばナノインプリントによってアレイ基板２００上に設置される。
【００６４】
たとえば、本開示の少なくとも一実施例では、図６Ｂに示すように、アレイ基板２００上に第１配向層６１０を形成してもよい。第１配向層６１０と図６Ａに示される第２配向層６２０を製造する過程において、第１配向層６１０と第２配向層６２０への摩擦処理の方向が互いに垂直である。
【００６５】
図６Ｃに示すように、対向基板１００とアレイ基板２００を対向して設置し、且つ対向基板１００とアレイ基板２００との間に液晶層３００を充填する。第１配向層６１０と第２配向層６２０により、電圧が印加されない場合に液晶層３００が同じ初期ツイスト角を有し、たとえば該初期ツイスト角が９０度となり得る。
【００６６】
本開示の少なくとも一実施例は、表示パネルおよびその製造方法、表示システムを提供しており、以下の少なくとも１つの有益な効果を有する。
【００６７】
（１）本開示の少なくとも一実施例は表示パネルを提供しており、該表示パネルにおいて反射偏光板が設置されることで、環境光の一部を反射可能であるため、表示パネルにミラー効果を付与し、それによって、裸眼となるユーザは広い視野角でも表示画像を視認できず、ディスプレイの美観を向上しつつ表示パネルの覗き見防止機能を向上させる。
【００６８】
（２）本開示の少なくとも一実施例は表示システムを提供しており、その表示パネルにおける反射偏光板により、反射された環境光が特定の偏光方向を有するため、眼鏡をかけるユーザーは反射された環境光の干渉を受けることがなく、表示画像を受けることができる。
【００６９】
なお、本開示では、
（１）本開示の実施例の図面は、本開示の実施例に関する構造だけが示されており、ほかの構造については通常の設計を参照すればよい。
（２）明確化するために、本開示の実施例を説明するための図面において、層または領域の厚さが拡大または縮小される場合があり、すなわち、これらの図面は実際の比例に応じて作成するものではない。
（３）矛盾がない限り、本開示の実施例および実施例における特徴を互いに組み合わせることで、新しい実施例が得られる。
【００７０】
以上、本発明の具体的な実施形態を説明したが、本発明の保護範囲はこれらに限定されるものではなく、添付した特許請求の範囲に定められる。
【図１】
2020525806.tif 000008
【図２】
2020525806.tif 000009
【図３】
2020525806.tif 000010
【図４】
2020525806.tif 000011
【図５】
2020525806.tif 000012
【図６Ａ】
2020525806.tif 000013
【図６Ｂ】
2020525806.tif 000014
【図６Ｃ】
2020525806.tif 000015
【国際調査報告】
2020525806.tif 000016
2020525806.tif 000017
2020525806.tif 000018
2020525806.tif 000019
2020525806.tif 000020